(57)【要約】  本発明は、上方の回転ピン及び下方の回転ピンを中心として旋回可能なガラスドア扉であって、ガラス板の上方及び下方の終端部を形成する扉かまち用成形材及び、上方の扉かまち用成形材内に隠して配置されたドアチェックを備え、ドアチェックは、一端でドアチェックの旋回軸に接続されかつ他端で上方の下地構造部に旋回可能に支持された作動アームを有し、回転ピンは、ガラスドア扉と上方の下地構造部若しくは下方の下地構造部との間でガラスドア扉の幅方向の一方の端部に配置された旋回支承部を形成している形式のものにおいて、ガラスドア扉（１）は自在戸（２）として形成され、旋回支承部（８，９）を形成する回転ピン（６，７）はそれぞれ、扉かまち用成形材（３，４）に埋め込まれたピン受容部（１６，１７）内に配置され、上方の下地構造部（１２）は、天井（３）にねじ固定されたプレート状のドア支持条片（１８）から成り、ドア支持条片に上方のピン受容部（１６）を係合させ、ドア支持条片（１８）は凹設部（１９）を有し、凹設部内にスライド軌道部（２０）を取り外し可能に埋め込み、スライド軌道部内にスライド片（２１）を案内し、スライド片はドアチェックの作動アームに回転可能に連結されている。
2008505267.tif 000002
【特許請求の範囲】
【請求項１】
上方の回転ピン及び下方の回転ピンを中心として旋回可能なガラスドア扉であって、ガラス板の上方及び下方の終端部を形成する扉かまち用成形材及び、上方の扉かまち用成形材内に隠して配置されたドアチェックを備えており、前記ドアチェックは、一端で該ドアチェックの旋回軸に接続されかつ他端で上方の下地構造部に旋回可能に支持された作動アームを有しており、前記回転ピンは、ガラスドア扉と上方の下地構造部若しくは下方の下地構造部との間でガラスドア扉の幅方向の一方の端部に配置された旋回支承部を形成している形式のものにおいて、ガラスドア扉（１）は自在戸（２）として形成されており、旋回支承部（８，９）を形成している回転ピン（６，７）はそれぞれ、上方の扉かまち用成形材（３）若しくは下方の扉かまち用成形材（４）に埋め込まれたピン受容部（１６，１７）内に配置されており、上方の下地構造部（１２）は、天井（３）にねじ固定されたプレート状のドア支持条片（１８）から成っており、該ドア支持条片に上方のピン受容部（１６）を係合させてあり、前記ドア支持条片（１８）は凹設部（１９）を有しており、該凹設部内にスライド軌道部（２０）を取り外し可能に埋め込んであり、該スライド軌道部内にスライド片（２１）を案内してあり、該スライド片はドアチェックの作動アームに回転可能に連結されていることを特徴とする、上方の回転ピン及び下方の回転ピンを中心として旋回可能なガラスドア扉。
【請求項２】
下方のピン受容部（１７）内に配置された回転ピン（７）は、床部（２２）にねじ固定されていて下方の下地構造部（１５）を形成する支持プレート（２３）内に係合している請求項１に記載のガラスドア扉。
【請求項３】
ガラス板（５）の幅（Ｂ）を画定する端部縁（２４，２５）はフレームなしに形成されている請求項１又は２に記載のガラスドア扉。
【請求項４】
ドア支持条片（１８）は、ガラスドア扉（１）の全幅にわたって延びている請求項１から３のいずれか１項に記載のガラスドア扉。
【発明の詳細な説明】
【技術分野】
【０００１】
本発明は、上方の回転ピン及び下方の回転ピンを中心として旋回可能なガラスドア扉であって、ガラス板の上方及び下方の終端部を形成する扉かまち用成形材及び、上方の扉かまち用成形材内に隠して配置されたドアチェックを備えており、前記ドアチェックは、一端で該ドアチェックの旋回軸に接続されかつ他端で上方の下地構造部に旋回可能に支持された作動アームを有しており、前記回転ピンは、ガラスドア扉と上方の下地構造部若しくは下方の下地構造部との間でガラスドア扉の幅方向の一方の端部に配置された旋回支承部を形成している形式のものに関する。
【０００２】
前記形式のガラスドア扉（ガラスドア用扉）は、一枚構成のドア部材として、若しくは側方でガラスドア扉（ドアパネル）に接続していて固定されたガラス部材と組み合わせて使用されるものである。付加的に配置されたドアチェックは、ドアを自動的に閉じるために役立つものである。前記形式のガラスドア扉は、複数枚構成のエントランスドア内にも組み込まれており、この場合に一枚構成のドア部材は旋回可能であり、かつ上方の走行レール案内機構を用いて所定の格納位置若しくは待機位置へ移動させられるようになっている。
【０００３】
本発明は、下地構造部若しくはドア枠に旋回可能にのみ支承される、つまり上方の案内レール内への移動可能な支承、つまりドア部材の移動運動を省略したガラスドア扉を開発にすることにある。
【０００４】
冒頭に述べた形式の装置は、ドイツ連邦共和国特許出願公開第１０１５７８０５Ａ１号明細書により公知である。該公知の装置においては、スライド壁内に旋回可能なドア扉部材を統合してあり、該ドア扉部材は移動並びに旋回可能である。このためにドア扉部材は該ドア扉部材のほぼ半幅の箇所に配置されて該ドア扉部材を保持する台車に懸架されており、台車はドア扉部材のための旋回軸（トラニオン）を有している。別の、つまり第２の旋回軸はドアチェックの回転ピンによって形成されている。ドアチェックの回転ピンに接続された作動アームは、他方の端部で回転軸を介して、下地構造部に設けられた回転支承部の構成部分に支えられている。ドア扉部材の旋回に際して、ドア扉部材は台車に配置された旋回軸に基づき、台車の案内のための案内レールの両側へ旋回するようになっている。このことは、閉じられた状態で両側に十分な自由空間を必要としている。さらに、本来の上方の下地構造部に接続する筒状の固定用成形体は、該固定用成形体の下側に配置された走行レール（軌道）と一緒に装置全体の比較的大きな構成高さを必要としている。
【０００５】
ドイツ連邦共和国実用新案登録第９４２１３７４Ｕ１号明細書には、スライド可能な複数のドア扉から成るスライド旋回式ドアを開示してあり、複数のドア扉のうちの中央の両方のドア扉は移動扉（引き戸）として形成され、かつ外側の両方のドア扉は旋回扉（開き戸）として形成されており、この場合にすべての扉は該扉の幅方向の一方の端部に配置された軸を中心として旋回可能になっている。扉はそれぞれ、上方及び下方のかまち用成形材（扉用プロフィール材）を備えており、かまち用成形材に断面中空筒状の横桁を接続してある。横桁はドアチェックを隠して、つまり見えないように受容するために用いられており、ドアチェックの作動アームは他方の端部でスライド片を用いて、下地構造部としての筒状のフレーム成形材の構成部分内に支えられている。かまち用成形材、横桁及びフレーム成形材を互いに上下に配置してあるので、該公知の構成も十分な構成高さを必要としている。
【０００６】
本発明の課題は、冒頭に述べた形式のガラスドアを改善して、ドアチェックを隠した状態で配置し、ドア部材の移動を省略しかつ、ガラスドアを旋回支承部及びドアチェックの適切な配置によって、比較的低い構成高さの場合にも自在戸として使用できるようにすることである。
【０００７】
前記課題は請求項１に記載の本発明に基づくガラスドア扉によって解決される。
【０００８】
本発明に基づく構成では、上方及び下方の旋回支承部並びにドアチェックは扉かまち用成形材内に配置されており、この場合にドアチェックのスライド片を受容する構成部分は、経済的にかつ所要スペースをわずかにするように扁平なプレートとして形成されており、該プレートの厚さはもっぱらスライド片の受容部のみによって規定されるものである。
【０００９】
本発明の有利な実施態様を従属請求項に記載してある。
【００１０】
本発明に基づき自在戸として用いられるガラスドア扉は低い構成高さで実施可能であり、このためにさらに有利には、下方のピン受容部内に配置される回転ピン（トラニオン）は、床部にねじ固定されていて下方の下地構造部若しくは枠を形成する支持プレート内に係合している。
【００１１】
上方及び下方の旋回支承部の回転ピンを、それぞれ扉かまち用成形材内に埋め込まれたピン受容部内に配置してあるので、ガラス板の張設は上方及び下方の扉かまち用成形材によって行われるだけで十分であり、従ってガラス板の幅を画定（規定）する端部縁はフレームなしに形成されていてよい。
【００１２】
次に本発明を図示の実施例に基づき詳細に説明する。図面において、
図１は、ガラスドアの垂直方向の縦断面図であり、
図２は、図１の線ＩＩ−ＩＩに沿った断面図であり、
図３は、下方の旋回支承部の拡大斜視図であり、
図４は、ドア支持条片の拡大斜視図であり、
図５及び図６は、上方の扉かまち用成形材若しくは下方の扉かまち用成形材の斜視図であり、
図７は、ドア支持条片及びスライドレールの、図４に対する拡大分解斜視図である。
【００１３】
図１では、ガラスドア扉１は自在戸２として形成されており、この場合にガラス板５は上方の扉かまち用成形材３と下方の扉かまち用成形材４との間に張設されている。上方の扉かまち用成形材（框用プロフィール材）３内には、上方の旋回支承部８としての回転ピン６を配置してあり、かつ下方の扉かまち用成形材４内には下方の旋回支承部９としての回転ピン７を配置してある。回転ピン６，７はそれぞれ上方のピン受容部１６若しくは下方のピン受容部１７内に支承されて、上方の旋回支承部８若しくは下方の旋回支承部９を形成している。旋回支承部８，９はそれぞれ、図面に示してあるように上方の扉かまち用成形材３若しくは下方の扉かまち用成形材４内に埋め込まれている。上方の回転ピン６は下地構造部１２としてのドア支持条片１８に係合し、つまりドア支持条片に差し込まれており、下方の回転ピン７は、下地構造部１５として床部２２にねじ固定された支持プレート２３に係合している。
【００１４】
上方の扉かまち用成形材３内にはドアチェック１０を見えないように、つまり隠した状態で配置してあり、ドアチェック（ドアクローザー）の作動アーム１４はドアチェック１０の旋回軸１１に接続されている。特に図７から見て取れるように、下地構造部１２を形成していてねじ部材２６によって天井１３に結合されたプレート状のドア支持条片（ドア枠材又はドアサポートストリップ）１８内に凹設部１９を設けてあり、該凹設部内にスライド軌道部（スライドトラック）２０を埋め込んだ状態で装着し、つまり完全に収納して別のねじ部材２７によって固定してある。スライド軌道部内にスライド片（滑子）２１を強制案内してあり、該スライド片は作動アーム１４の自由な端部に配置されている。
【００１５】
図５及び図６に示してある上方及び下方の扉かまち用成形材３，４によってガラス板５を確実に張設してあるので、ガラス板５の、自在戸２の幅Ｂを画定する端部縁（エッジ）２４，２５は、図１に示してあるように、フレーム（かまち若しくは縦がまち）なしに形成され、つまり露出させたままになっている。
【図面の簡単な説明】
【００１６】
【図１】ガラスドアの垂直方向の縦断面図
【図２】図１の線ＩＩ−ＩＩに沿った断面図
【図３】下方の旋回支承部の拡大斜視図
【図４】ドア支持条片の拡大斜視図
【図５】上方の扉かまち用成形材の斜視図
【図６】下方の扉かまち用成形材の斜視図
【図７】ドア支持条片及びスライドレールの拡大分解斜視図
【図８】ドア枠の概略斜視図
【図９】ドア枠内に取り付けられたガラスドア扉の内側からの斜視図
【符号の説明】
【００１７】
１  ガラスドア扉、  ２  自在戸、  ３，４  扉かまち用成形材、  ５  ガラス板、  ６，７  回転ピン、  ８，９  旋回支承部、  １０  ドアチェック、  １２  下地構造部、  １３  天井、  １５  下地構造部、  １６，１７  ピン受容部、  １８  ドア支持条片、  １９  凹設部、  ２０  スライド軌道部、  ２１  スライド片、  ２２  床部、  ２３  支持プレート、  ２４，２５  端部縁、  ２６，２７  ねじ部材
【図１】
2008505267.tif 000003
【図２】
2008505267.tif 000004
【図３】
2008505267.tif 000005
【図４】
2008505267.tif 000006
【図５】
2008505267.tif 000007
【図６】
2008505267.tif 000008
【図７】
2008505267.tif 000009
【図８】
2008505267.tif 000010
【図９】
2008505267.tif 000011
【国際調査報告】
2008505267.tif 000012
2008505267.tif 000013
2008505267.tif 000014
2008505267.tif 000015